(57)【要約】    【課題】  被焼物に対する火加減、焼き加減を容易かつ自在に調節できるコンロを提供すること。    【解決手段】  コンロにおいて、被焼物載置のための該載置部３を、コンロ本体部１の開口上部上で開閉することのできる載置体３Ａ、３Ｂとから構成し、コンロ本体部１の正面部に各載置体３Ａ、３Ｂの開閉を操作するための開閉レバー６を取り付け、開閉レバー６により入力される回転運動を、各載置体３Ａ、３Ｂの回転運動として伝動するための開閉機構部Ｍを設け、開閉機構部Ｍは、回転運動の伝動が、一方の載置体３Ｂには開閉レバー６の回転運動と順方向に、他方の載置体３Ａにはこれと逆方向に伝動されるように構成する。【選択図】    図１
2005081031.tif 000002
【特許請求の範囲】
【請求項１】
燃料を置くためのコンロ本体部と、該コンロ本体部の開口上部を被覆するように設けられる被焼物載置のための載置部と、該コンロ本体部中に設けられる空気取入れ調節部とを備えた、炭を燃料とした使用が可能なコンロであって、該コンロは、
（Ａ−１）該載置部が、該コンロ本体部の開口上部上において開閉することのできる第一の載置体と第二の載置体とからなっており、
（Ｂ−１）該コンロ本体部の一側面部には、該各載置体の開閉を操作するための開閉レバーが取り付けられており、
（Ｃ−１）さらに、該開閉レバーにより入力される回転運動を、該各載置体上の作用点の回転運動として伝動するための開閉機構部が設けられており、
（Ｃ−２）該開閉機構部は、該開閉レバーの回転運動がなされる平面と、該各載置体上の作用点の回転運動がなされる平面とは略平行となるように構成され、
（Ｃ−３）該開閉機構部は、該回転運動の伝動が、一方の載置体には該開閉レバーの回転運動と順方向に、他方の載置体にはこれと逆方向に伝動されるように構成され、
（Ｃ−４）該開閉機構部には、該各載置体に伝動された回転運動を該各載置体の平行移動運動とするための補助アームが該コンロ本体部と各載置体間にそれぞれ設けられて含まれており、
かかる構成によって、該開閉レバーから回転運動を入力することにより、該各載置体を、（Ｉ）各載置体が相互に最も接近して、すなわち閉じて、該載置部を略一体状に形成している状態の位置、（II）各載置体が相互に最も離隔して、すなわち開いて、該コンロ本体部の開口上部の開放が最もなされている状態の位置、および（III）それらの間の状態の位置に位置させることができる、
ことを特徴とする、コンロ。
【請求項２】
前記開閉機構部は、
（Ｃ−５）前記各載置体ごとに、前記開閉レバーの回転運動を後記連結アームに伝動するための伝動アームと、前記コンロ本体部に枢設されかつ該載置体上の作用点に枢設された連結アームと、前記補助アームとからなる、
ことを特徴とする、請求項１に記載のコンロ。
【請求項３】
前記伝動アームは、
（Ｃ−６）第一載置体に係るものは、前記開閉レバーと前記連結アームとの間を連結して設けられるレバー受けアームであり、第二載置体に係るものは、該第一載置体に係る連結アームと該第二載置体に係る連結アームとの間を連結して設けられる間接的レバー受けアームであり、
（Ｃ−７）該レバー受けアームと該間接的レバー受けアームは、該第一載置体に係る連結アーム上において、該コンロ本体への枢設により形成されている支点を挟んで反対側に枢設されている、
ことを特徴とする、請求項２に記載のコンロ。
【請求項４】
前記コンロは、
（Ｂ−２）前記開閉レバーの枢設が該レバーの中途位置においてなされており、
（Ｃ−８）前記伝動アームは、いずれの載置体に係るものも、該開閉レバーと前記各連結アームとの間を連結して設けられるレバー受けアームであり、
（Ｃ−１３）該二のレバー受けアームは該開閉レバー上において、該コンロ本体への枢設により形成されている支点を挟んで反対側に枢設されている、
ことを特徴とする、請求項２に記載のコンロ。
【請求項５】
前記コンロは、
（Ｄ−１）前記開閉機構部と前記空気取入れ調節部を構成する空気取入れ調節弁とを連結して、前記開閉レバーの回転運動を該空気取り入れ調節弁の開閉のための運動に伝動するための空気取入れ調節用連結アームを備える、
ことを特徴とする、請求項１ないし４のいずれかに記載のコンロ。
【請求項６】
前記空気取入れ調節弁は、
（Ｄ−２）直線運動によりその開閉がなされて空気取り入れ量の調節がなされるものであり、
（Ｄ−３）前記開閉機構部による前記載置体が開くのと連動して閉じられるように前記空気取り入れ調節用連結アームが取り付けられている、
ことを特徴とする、請求項５に記載のコンロ。
【請求項７】
前記空気取り入れ調節用連結アームは、
（Ｄ−４）前記レバー受けアーム、または間接的レバー受けアームのいずれかに連結して設けられている、
ことを特徴とする、請求項６に記載のコンロ。
【請求項８】
前記コンロは、
（Ａ−２）前記二の載置体が略同じサイズであって、かつ前記コンロ本体部の長手方向に並列状に設けられており、かかる構成により前記開閉は、該コンロ本体部の長手方向に直交する方向上でなされる、
ことを特徴とする、請求項１ないし７のいずれかに記載のコンロ。
【請求項９】
前記コンロは、
（Ａ−３）前記載置体が、被焼物が載置されるための載置体本体と、該載置体本体を支持する支持体とからなり、該支持体に前記連結アームおよび前記補助アームが枢設されている、
ことを特徴とする、請求項１ないし８のいずれかに記載のコンロ。
【請求項１０】
前記コンロは、
（Ａ−４）前記支持体がアングル枠により構成され、前記載置体本体は焼き網または鉄板であり、該載置体本体は該支持体上に載置することができる、
ことを特徴とする、請求項９に記載のコンロ。
【請求項１１】
前記コンロは、
（Ｃ−１４）前記開閉機構部がコンロ本体部の対向する二の側面部に設けられており、前記開閉レバーはこのうち一の側面部に設けられており、
（Ｃ−１５）該コンロ本体部の下部には、該開閉レバーの回転運動を対向する側面部に設けられた該開閉機構部に伝動するための、開閉機構部連結シャフトが設けられている、
ことを特徴とする、請求項１ないし１０のいずれかに記載のコンロ。
【発明の詳細な説明】
【技術分野】
【０００１】
この発明は、コンロに係り、特に炭を燃料とした使用の可能なコンロであって、被焼物に対する火加減、焼き加減を容易かつ自在に調節でき、またこの際に併せて火力の調節もでき、焼き網等の上の被焼物の載置や引き上げの際の加熱源の熱さによる取り扱いの不便さや火傷の危険性をなくし、さらに燃料の補給、移動の際も、焼き網等を特にコンロ本体から取り外して移動させる必要がない、新規かつ実用性の高いコンロに関する。
【背景技術】
【０００２】
従来、炭火によるコンロは火加減が簡単にできなく、被焼物を焦がしてしまうことが多かった。また、被焼物を焼き網等の上に載置したり、引き上げたりする際に、炭火の熱により取り扱いが不便であったり、火傷をする危険性があった。また、途中で燃料の炭を追加する場合、被焼物を網に載せたまま移動するために種々の道具を用いなくてはならなくなったり、あるいはこの場合にも火傷の危険があったりした。
【０００３】
火加減調節を主目的としたコンロの改良提案は、従来種々なされている。これらの中には、コンロ本体からの焼き網等の高さを調節するようなものもいくつかある（後記各特許文献）。
【０００４】
【特許文献１】特開平９−１０８１２３号公報「コンロ」。
【特許文献２】特開平８−３０８７４５号公報「組立式バーベキューコンロ」。
【特許文献３】実開平７−３９７２５号公報「バーベキューコンロ」。
【特許文献４】実開平７−３３２３３号公報「バーベキューコンロ」。
【発明の開示】
【発明が解決しようとする課題】
【０００５】
しかしこれらの従来技術はいずれも、焼き網等の被焼物載置部を上下方向に移動させる、すなわち高さを可変化することによって、問題を解決しようとした者であり、熱風の携帯により鉛直方向上に伝播する炭火の熱から効果的に被焼物や取り扱う人の手を離隔するものではなく、あるいはその効果は充分ではなく、かつ燃料補給、移動の際の不便については手当されていない。
【０００６】
本発明の課題は、かかる従来技術の欠点を除去し、被焼物に対する火加減、焼き加減を容易かつ自在に調節でき、またこの際に併せて火力の調節もでき、焼き網等の上の被焼物の載置や引き上げの際の加熱源の熱さによる取り扱いの不便さや火傷の危険性をなくし、さらに燃料の補給、移動の際も、焼き網等を特にコンロ本体から取り外して移動させる必要がない、新規かつ実用性の高いコンロを提供することである。
【課題を解決するための手段】
【０００７】
本願発明者は上記課題を解決するために鋭意検討し、本発明に至った。すなわち、本願で特許請求される発明は次のとおりである。
＜１＞  燃料を置くためのコンロ本体部と、該コンロ本体部の開口上部を被覆するように設けられる被焼物載置のための載置部と、該コンロ本体部中に設けられる空気取入れ調節部とを備えた、炭を燃料とした使用が可能なコンロであって、該コンロは、
（Ａ−１）該載置部が、該コンロ本体部の開口上部上において開閉することのできる第一の載置体と第二の載置体とからなっており、
（Ｂ−１）該コンロ本体部の一側面部には、該各載置体の開閉を操作するための開閉レバーが取り付けられており、
（Ｃ−１）さらに、該開閉レバーにより入力される回転運動を、該各載置体上の作用点の回転運動として伝動するための開閉機構部が設けられており、
（Ｃ−２）該開閉機構部は、該開閉レバーの回転運動がなされる平面と、該各載置体上の作用点の回転運動がなされる平面とは略平行となるように構成され、
（Ｃ−３）該開閉機構部は、該回転運動の伝動が、一方の載置体には該開閉レバーの回転運動と順方向に、他方の載置体にはこれと逆方向に伝動されるように構成され、
（Ｃ−４）該開閉機構部には、該各載置体に伝動された回転運動を該各載置体の平行移動運動とするための補助アームが該コンロ本体部と各載置体間にそれぞれ設けられて含まれており、
かかる構成によって、該開閉レバーから回転運動を入力することにより、該各載置体を、（Ｉ）各載置体が相互に最も接近して、すなわち閉じて、該載置部を略一体状に形成している状態の位置、（II）各載置体が相互に最も離隔して、すなわち開いて、該コンロ本体部の開口上部の開放が最もなされている状態の位置、および（III）それらの間の状態の位置に位置させることができる、
ことを特徴とする、コンロ。
＜２＞  前記開閉機構部は、
（Ｃ−５）前記各載置体ごとに、前記開閉レバーの回転運動を後記連結アームに伝動するための伝動アームと、前記コンロ本体部に枢設されかつ該載置体上の作用点に枢設された連結アームと、前記補助アームとからなる、
ことを特徴とする、（１）に記載のコンロ。
＜３＞  前記伝動アームは、
（Ｃ−６）第一載置体に係るものは、前記開閉レバーと前記連結アームとの間を連結して設けられるレバー受けアームであり、第二載置体に係るものは、該第一載置体に係る連結アームと該第二載置体に係る連結アームとの間を連結して設けられる間接的レバー受けアームであり、
（Ｃ−７）該レバー受けアームと該間接的レバー受けアームは、該第一載置体に係る連結アーム上において、該コンロ本体への枢設により形成されている支点を挟んで反対側に枢設されている、
ことを特徴とする、（２）に記載のコンロ。
＜４＞  前記コンロは、
（Ｂ−２）前記開閉レバーの枢設が該レバーの中途位置においてなされており、
（Ｃ−８）前記伝動アームは、いずれの載置体に係るものも、該開閉レバーと前記各連結アームとの間を連結して設けられるレバー受けアームであり、
（Ｃ−１３）該二のレバー受けアームは該開閉レバー上において、該コンロ本体への枢設により形成されている支点を挟んで反対側に枢設されている、
ことを特徴とする、（２）に記載のコンロ。
【０００８】
＜５＞  前記コンロは、
（Ｄ−１）前記開閉機構部と前記空気取入れ調節部を構成する空気取入れ調節弁とを連結して、前記開閉レバーの回転運動を該空気取り入れ調節弁の開閉のための運動に伝動するための空気取入れ調節用連結アームを備える、
ことを特徴とする、（１）ないし（４）のいずれかに記載のコンロ。
＜６＞  前記空気取入れ調節弁は、
（Ｄ−２）直線運動によりその開閉がなされて空気取り入れ量の調節がなされるものであり、
（Ｄ−３）前記開閉機構部による前記載置体が開くのと連動して閉じられるように前記空気取り入れ調節用連結アームが取り付けられている、
ことを特徴とする、（５）に記載のコンロ。
＜７＞  前記空気取り入れ調節用連結アームは、
（Ｄ−４）前記レバー受けアーム、または間接的レバー受けアームのいずれかに連結して設けられている、
ことを特徴とする、（６）に記載のコンロ。
【０００９】
＜８＞  前記コンロは、
（Ａ−２）前記二の載置体が略同じサイズであって、かつ前記コンロ本体部の長手方向に並列状に設けられており、かかる構成により前記開閉は、該コンロ本体部の長手方向に直交する方向上でなされる、
ことを特徴とする、（１）ないし（７）のいずれかに記載のコンロ。
＜９＞  前記コンロは、
（Ａ−３）前記載置体が、被焼物が載置されるための載置体本体と、該載置体本体を支持する支持体とからなり、該支持体に前記連結アームおよび前記補助アームが枢設されている、
ことを特徴とする、（１）ないし（８）のいずれかに記載のコンロ。
＜１０＞  前記コンロは、
（Ａ−４）前記支持体がアングル枠により構成され、前記載置体本体は焼き網または鉄板であり、該載置体本体は該支持体上に載置することができる、
ことを特徴とする、（９）に記載のコンロ。
【００１０】
＜１１＞  前記コンロは、
（Ｃ−１４）前記開閉機構部がコンロ本体部の対向する二の側面部に設けられており、前記開閉レバーはこのうち一の側面部に設けられており、
（Ｃ−１５）該コンロ本体部の下部には、該開閉レバーの回転運動を対向する側面部に設けられた該開閉機構部に伝動するための、開閉機構部連結シャフトが設けられている、
ことを特徴とする、（１）ないし（１０）のいずれかに記載のコンロ。
【発明の効果】
【００１１】
本発明のコンロは上述のような特徴的な構成を有することにより、被焼物に対する火加減、焼き加減を容易かつ自在に調節できる。またこの際に、併せて火力の調節もでき、焼き網等の上の被焼物の載置や引き上げの際の加熱源の熱さによる取り扱いの不便さや火傷の危険性をなくすることができる。さらに、燃料の補給、移動の際も、焼き網等の被焼物載置部を特にコンロ本体から取り外して移動させる必要がなくなる。
【発明を実施するための最良の形態】
【００１２】
発明を実施するための最良の形態について、図を用いてさらに説明する。なお以下の説明において、コンロ本体部や載置体に設けられる、各種アームの固定兼枢設用の点Ｃは、その特定位置のものについては、適宜、Ｃ８等の数字付き符号を用いることがある。実施例に後述するように、Ｃとしてはたとえばボルトを用いることができる。
図１は、後記開閉レバーや開閉器後部が設けられる一側面を正面とした場合の、本発明コンロの一例の正面視構成を示す説明図であり、開閉レバーの動きによる開閉機構部の動きを（イ）〜（ハ）により説明するものである。（イ）において図示された符号の多くは、（ロ）および（ハ）では省略されている。図において本コンロは、
燃料を置くためのコンロ本体部１と、該コンロ本体部１の開口上部を被覆するように設けられる被焼物載置のための載置部３と、該コンロ本体部１中に設けられる空気取入れ調節部とを備えた、炭を燃料とした使用が可能なコンロであって、
（Ａ−１）該載置部３が、該コンロ本体部１の開口上部上において開閉することのできる第一の載置体３Ａと第二の載置体３Ｂとからなっており、
（Ｂ−１）該コンロ本体部１の正面部には、該各載置体３Ａ、３Ｂの開閉を操作するための開閉レバー６が取り付けられており、
（Ｃ−１）さらに、該開閉レバー６により入力される回転運動を、該各載置体３Ａ、３Ｂ上の作用点Ｄ９等の回転運動として伝動するための開閉機構部Ｍが設けられており、
（Ｃ−２）該開閉機構部Ｍは、該開閉レバー６の回転運動がなされる平面と、該各載置体３Ａ、３Ｂ上の作用点Ｄ９等の回転運動がなされる平面とは略平行となるように構成され、
（Ｃ−３）該開閉機構部Ｍは、該回転運動の伝動が、一方の載置体（図では３Ｂ）には該開閉レバー６の回転運動と順方向に、他方の載置体（図では３Ａ）にはこれと逆方向に伝動されるように構成され、
（Ｃ−４）該開閉機構部Ｍには、該各載置体３Ａ、３Ｂに伝動された回転運動を該各載置体の平行移動運動とするための補助アーム９Ａ、９Ｂが該コンロ本体部１と各載置体３Ａ、３Ｂ間にそれぞれ設けられて含まれている、という構成を基本とする（＜１＞）。
【００１３】
図において本コンロは、かかる構成によって、該開閉レバー６により入力される回転運動は、該開閉機構部Ｍにより、該回転運動を、一方の載置体（図では３Ｂ）には該開閉レバー６の回転運動と順方向に伝動し、他方の載置体（図では３Ａ）にはこれと逆方向に伝動する。回転運動は、該各載置体３Ａ、３Ｂ上の作用点Ｄ９等の回転運動として伝動されるが、該開閉機構部Ｍに含まれる補助アーム９Ａ、９Ｂにより、該各載置体３Ａ、３Ｂの平行移動運動に変換される。つまり、載置部３としては水平の状態を保ちながら、かつコンロ本体部１開口上部の上端面を基準としてその高さを変えながら、水平方向に移動がなされる、換言すれば載置部３の開閉がなされる。すなわち、該開閉レバー６から回転運動を入力することにより、該各載置体３Ａ、３Ｂを、（Ｉ）各載置体３Ａ、３Ｂが相互に最も接近して、すなわち閉じて、該載置部３を略一体状に形成している状態の位置、（II）各載置体３Ａ、３Ｂが相互に最も離隔して、すなわち開いて、該コンロ本体部１の開口上部の開放が最もなされている状態の位置、および（III）それらの間の状態の位置に位置させることができる。
【００１４】
図１において本コンロは、前記開閉機構部Ｍを、
（Ｃ−５）前記各載置体３Ａ、３Ｂごとに、前記開閉レバー６の回転運動を後記連結アームに伝動するための伝動アーム（図では７）と、前記コンロ本体部１に枢設されかつ該載置体３Ａ、３Ｂ上の作用点Ｄ９等に枢設された連結アーム８、１０と、前記補助アーム９Ａ、９Ｂとから構成することができる（＜２＞）。かかる構成により、該開閉レバー６の回転運動が伝動アーム（７）を介して該連結アーム８、１０に、該コンロ本体部１に枢設された点を回転中心とする回転運動として伝動され、該回転運動は、該載置体３Ａ、３Ｂ上の作用点Ｄ９等に回転運動として伝動される。作用点Ｄ９等における回転運動には、該コンロ本体部１と各載置体３Ａ、３Ｂに枢設された補助アーム９Ａ、９Ｂの回転運動が連動する。これにより、該載置体３Ａ、３Ｂは傾かずに、全体としての回転運動がなされる。すなわち、該載置体３Ａ、３Ｂは平行移動が可能となる。ここで平行移動には、上下方向のものが含まれることはいうまでもない。
【００１５】
図のように前記伝動アームは、
（Ｃ−６）第一載置体３Ａに係るものは、前記開閉レバー６と前記連結アーム８との間を連結して設けられるレバー受けアーム７であり、第二載置体３Ｂに係るものは、該第一載置体３Ａに係る連結アーム８と該第二載置体３Ｂに係る連結アーム１０との間を連結して設けられる間接的レバー受けアーム１１であり、
（Ｃ−７）該レバー受けアーム７と該間接的レバー受けアーム１１は、該第一載置体３Ａに係る連結アーム８上において、該コンロ本体部１への枢設により形成されている支点Ｃ８を挟んで反対側に枢設されている構成をとることができる（＜３＞）。かかる構成により、該開閉レバー６の一の回転運動から、一方の載置体３Ａにおいてはそれとは逆方向の回転運動を、他方の載置体３Ｂにおいては該開閉レバー６と順方向の回転運動を、同時に起こすことができる。各載置体３Ａ、３Ｂにおいて、回転方向が相互に逆の回転運動が同時に起こることにより、上述した前記載置部３の開閉（（Ｉ）〜（III））を行わせることができる。
【００１６】
本発明コンロの開閉機構は図１に示される例には限定されず、異なる構成をとることもできる。すなわち、
（Ｂ−２）前記開閉レバーの枢設が、図１のようにレバーの一端部を支点としてなされるのではなく、該開閉レバーの中途位置においてなされて、そこを支点としており、
（Ｃ−８）前記伝動アームを、いずれの載置体３Ａ、３Ｂに係るものも、該開閉レバーと前記各連結アームとの間を連結して設けられるレバー受けアームとして構成し、
（Ｃ−１３）該二のレバー受けアームを、該開閉レバーの支点を挟んで相互に反対側に枢設する構成とすることによっても、＜３＞と同様の作用を得ることができる（＜４＞）。この場合、開閉レバーの回転運動は、いずれの連結アーム８、１０に対しても、レバー受けアームを介して直接伝動される。
【００１７】
図に示すように、本発明コンロは、
（Ｄ−１）前記開閉機構部Ｍと前記空気取入れ調節部に係る空気取入れ調節弁１３とを連結して、前記開閉レバー６の回転運動を該空気取り入れ調節弁１３の開閉のための運動に伝動するための空気取入れ調節用連結アーム１２を備える構成とすることができる（＜５＞）。ここで、前記空気取入れ調節弁１３は、
（Ｄ−２）直線運動によりその開閉がなされて空気取り入れ量の調節がなされるものとし、
（Ｄ−３）前記開閉機構部Ｍによる前記載置体３Ａ、３Ｂが開くのと連動して閉じられるように前記空気取り入れ調節用連結アーム１２が取り付けらた構成とすることができる（＜６＞）。
かかる構成により、該載置体３Ａ、３Ｂの開閉と連動させて、空気取り入れ量の調節を行うことができる。
図のように、前記空気取り入れ調節用連結アーム１２は、
（Ｄ−４）間接的レバー受けアーム１１に連結して設けることができるが、それには限定されず、前記レバー受けアーム７に連結させる構成も、本発明において排除されない（＜７＞）。
【００１８】
図１に示すように本コンロは、
（Ａ−２）前記二の載置体３Ａ、３Ｂが略同じサイズであって、かつ前記コンロ本体部１の長手方向に並列状に設けられており、かかる構成により前記開閉は、該コンロ本体部１の長手方向に直交する方向上でなされる構成とすることができる（＜８＞）。  また、本コンロは、
（Ａ−３）前記載置体３Ａ、３Ｂが、被焼物が載置されるための載置体本体と、該載置体本体を支持する支持体とからなり、該支持体に前記連結アーム８、１０および前記補助アーム９Ａ、９Ｂが枢設されている構成とすることができる（＜９＞）。
【００１９】
図２は、本発明コンロの一例の全体構成を示す斜視図である。図に示すように本発明コンロの前記載置体は、
（Ａ−４）前記支持体がアングル枠３０により構成され、前記載置体本体は焼き網４または鉄板であり、該載置体本体４は該支持体３０上に載置できる構成とすることができる（＜１０＞）。
【００２０】
図３は、本発明コンロの一例の側面図であり、開閉機構部連結シャフト（以下「連結シャフト」ともいう。）の構成を示すものである。図のように本コンロは、（Ｃ−１４）前記開閉機構部Ｍがコンロ本体部１の対向する二の側面部（あるいは、正面部と背面部。）に設けられており、前記開閉レバー６はこのうち一の側面部（あるいは、正面部。）に設けられており、
（Ｃ−１５）該コンロ本体部１の下部には、該開閉レバー６の回転運動を対向する側面部（あるいは、背面部。）に設けられた該開閉機構部に伝動するための、開閉機構部連結シャフト１５が設けられている構成とすることができる（＜１１＞）。かかる構成により、一の開閉レバー６における回転運動操作のみで、回転運動を、両側面部（あるいは、正面部と背面部。）において各開閉機構部の作用により載置部３に伝動することができ、該載置部３の安定的な開閉を行うことができる。
【実施例】
【００２１】
以下、本発明を実施例により説明する。
図２に示す通り、本例コンロは、コンロ本体部１に安定を増すために外側に反らした脚２を取り付け、上部には面積を２等分したアングル枠３０を設け、その中に、被焼物載置体としての焼き網４を載せてある。
【００２２】
本例では、コンロ本体部１の構造が、下部を切り詰めしぼってあるのを利用し、それ以上、下がらない位置に火格子５を嵌めてある。
【００２３】
火格子５より下部に当る本体１の外側前後両面には、空気取入口１４、空気調整用の移動可能な弁１３、およびガイドからなる空気取り入れ調節部を設けてある。
【００２４】
コンロ本体部１底部外側中央には、開閉レバー６の握りの反対側末端に前後を通したシャフト１５を溶接してある。これは図３で示す通り、開閉レバー６の動きをそのまま後部に伝えるためのものである。
【００２５】
コンロ本体部1の両前後側面には開閉レバー６に連結したレバー受けアーム７を回転可能にボルトを通して連結してある。そしてまた、該レバー受けアーム７と連結アーム８を同じく連結させ、その力を間接的レバー受けアーム１１に伝え、該アーム１１と連結してある連結アーム１０が連動する。
【００２６】
図２の斜視図に示すＣおよびＣ付き符号は、実施例では、コンロ本体１に固定したボルトであり、各アーム８、９Ａ、９Ｂ、１０を回転可能に支えてある。また、ＤおよびＤ付き符号は、アングル枠３０に固定した回転可能なボルトで止めてある。
【００２７】
図１の（イ）は開閉レバー６もアングル枠３０も被焼物を焼く時のスタートの位置に描いてある。（イ）では開閉レバー６は右に倒れＣを支点にＤはそれぞれ中心に向かって寄って左右のアングル枠３０を閉じている。また、この状態ではアーム８に連結したアーム１１がアーム１２と連結した空気調整弁１３を全開にして空気を取り入れている。
【００２８】
図１の（ロ）では開閉レバー６が垂直に立ち連結した各アーム８、９Ａ、９Ｂ、１０もＣ（Ｃ８、Ｃ１０）を支点に垂直に立ち、上部アングル枠３０は全閉と全開の半分の位置に移動する。この時の空気調整弁１３も全閉と全開の半分の位置まで閉じている。
【００２９】
図１の（ハ）の開閉レバー６は、左に倒れ、開閉レバー６に連結した各アーム８、９Ａ、９Ｂ、１０はそれぞれコンロ本体部１の側部に開かれ、Ｃを支点にアングル枠３０を左右に大きく全開させている。また、アーム１１に連結したアーム１２が空気調整弁を押して空気取入口を完全に閉じて空気を遮断する。
【００３０】
図４は、本例コンロを上部から平面視した説明図であり、開閉レバーの動きによる、被焼物載置部の位置変化を（ニ）〜（ヘ）により示すものである。（ニ）において図示された符号は、（ホ）および（ヘ）では省略されている。（ニ）では開閉レバーが右に大きく倒れ、左右のアングル枠３０が中央に寄り、焼き網がその全面に熱を受ける状態となっている。
【００３１】
開閉レバー６はどの位置にでも移動し、どこの位置でも止めることができるが、（ホ）の図では真中の位置に引いた時の図である。焼き網４が半分コンロ本体部１の上にあり、あと半分は外に出ている。この状態で被焼物１７のうち生焼けの物は内側に移動させ、焼き上がった物は外側へ移動し、焼き加源を調整することもできる。
【００３２】
（ヘ）の図では開閉レバー６が完全に左に倒れ、上部の焼き網も左右に全開移動して被焼物が全て熱源から外側へ移り、それ以上焼けが進むことはない。また、食べる人の前へ焼き上がった物が近づくため、取りやすく、伸べる手も熱くなくて取り扱いやすく、火傷の危険性もなくすることができる。
【産業上の利用可能性】
【００３３】
以上のとおり、本発明のコンロによれば、被焼物に対する火加減、焼き加減を容易かつ自在に調節でき、またこの際に併せて火力の調節もでき、焼き網等の上の被焼物の載置や引き上げの際の加熱源の熱さによる取り扱いの不便さや火傷の危険性をなくすることができる。さらに燃料の補給や移動の際も、焼き網等を特にコンロ本体から取り外して移動させる煩わしさを排除することができる。
【００３４】
つまり、炭を追加する時も、従来のように被焼物の載った焼き網を持ち上げ、どこかへ置いておくという必要もなく、持った網や被焼物を落下させることもなく、さらに、火傷をすることもなく安全かつ簡単に取り扱うことができる。
また、焼き網等を移動させて被焼物を火から遠ざけて加減でき、複数の被焼物間で焼き具合を見ながらの位置の移動も容易にできる。また、開閉レバーを全開にした場合は、炭火の照射からまったく別の位置に被焼物が移るため、それ以上焼けることはなく、箸で取るために延べる手も熱くなく、そのまま被焼物のテーブル代わりともなる。
【００３５】
また、レバーに連結したアームの移動によりコンロ下部に設けてある空気取入調整弁が目的に応じて連動する構成をとれるため、火力を自在かつ容易に調節することができる。さらに、途中で燃料の炭を加えたい場合、開閉レバーを全開の位置にすると上部の焼き網等も左右に全開するため、簡単に炭を投入することができる。すなわち、本発明コンロはかかる実用的な効果を複数有し、産業上の利用が大いに期待できる。
【図面の簡単な説明】
【００３６】
【図１】後記開閉レバーや開閉器後部が設けられる一側面を正面とした場合の、本発明コンロの一例の正面視構成を示す説明図であり、開閉レバーの動きによる開閉機構部の動きを説明するものである。なお、実施例の説明図を兼ねる。
【図２】本発明コンロの一例の全体構成を示す斜視図である。なお、実施例の説明図を兼ねる。
【図３】本発明コンロの一例の側面図であり、開閉機構部連結シャフトの構成を示すものである。なお、実施例の説明図を兼ねる。
【図４】本例コンロを上部から平面視した説明図であり、開閉レバーの動きによる、被焼物載置部の位置変化を示すものである。
【符号の説明】
【００３７】
１…コンロ本体部、  ２…コンロ支え脚、  ３…被焼物載置部、  ３Ａ、３Ｂ…載置体、  ３０…アングル枠、  ４…焼き網、  ５…火格子、  ６…開閉レバー、  ７…レバー受けアーム、  ８…連結アーム、  ９Ａ、９Ｂ…補助アーム、
１０…連結アーム、  １１…間接的レバー受けアーム、  １２…空気取入れ調節用連結アーム、  １３…空気調整弁、  １４…空気取入口、  １５…開閉機構部連結シャフト、  １６…炭、  １７…被焼物、  Ｃ…本体への枢設用ビス、
Ｃ８、Ｃ１０…支点、  Ｄ…載置体への枢設用ビス、  Ｄ９…作用点
【図１】
2005081031.tif 000003
【図２】
2005081031.tif 000004
【図３】
2005081031.tif 000005
【図４】
2005081031.tif 000006